(57)【要約】【課題】鍵棒を挿通させる挿通孔を有して鍵棒を支持する鍵棒支持部品を、管楽器の外観意匠を損うことなく、既存の管楽器に適用できるようにする。【解決手段】挿通孔１１の軸方向に直交する方向に配列された一対の分割体１２，１３を備え、第一分割体１２には、係止突起１４が形成され、第二分割体１３には、挿通孔１１の軸方向に開口し、係止突起１４が軸方向から挿入されることで、一対の分割体１２，１３が相対的に前記軸方向に直交する方向に移動することを規制する係止溝１５が形成されている鍵棒支持部品１０を提供する。【選択図】図２
2018072471.tif 000002
【特許請求の範囲】
【請求項１】
鍵棒を挿通させる挿通孔を有して前記鍵棒を支持する鍵棒支持部品であって、
前記挿通孔の軸方向に直交する方向に配列された一対の分割体を備え、
第一分割体には、係止突起が形成され、
第二分割体には、前記挿通孔の軸方向に開口し、前記係止突起が前記軸方向から挿入されることで、前記一対の分割体が相対的に前記軸方向に直交する方向に移動することを規制する係止溝が形成されている鍵棒支持部品。
【請求項２】
前記係止溝が、前記挿通孔の軸方向において一方のみに開口している請求項１に記載の鍵棒支持部品。
【請求項３】
前記挿通孔の軸方向の一方側から他方側に向かうにしたがって、前記軸方向に直交する係止突起の断面積、及び、前記軸方向に直交する係止溝の断面積が小さくなるように、係止突起が係止溝に挿入された状態で互いに接触する係止突起の外面及び係止溝の内面が、前記軸方向に対して傾斜している請求項１又は請求項２に記載の鍵棒支持部品。
【請求項４】
前記挿通孔が、一つの前記鍵棒を支持する鍵棒支持孔部を複数備え、
各鍵棒支持孔部が、前記挿通孔の内周面を構成し、一つの前記鍵棒を径方向から挟む一対の支持内面を備え、
複数の第一支持内面が、前記第一分割体に形成され、
複数の第二支持内面が、前記第二分割体に形成されている請求項１から請求項３のいずれか一項に記載の鍵棒支持部品。
【請求項５】
前記挿通孔を囲む環状に形成された環状支持部を備え、
各分割体が、前記環状支持部の周方向の一部を構成する分割支持部を備え、
前記係止突起が、前記第一分割体に含まれる第一分割支持部の周方向の両端部に一対形成され、
前記係止溝が、前記第二分割体に含まれる第二分割支持部の周方向の両端部に一対形成され、
一対の前記係止突起が、径方向において前記第一分割支持部の内周側の端部に形成されると共に、前記挿通孔の軸方向及び前記一対の分割体の配列方向に直交する方向に配列され、
一対の前記係止溝が、径方向において前記第二分割支持部の内周側の端部に形成されている請求項１から請求項４のいずれか一項に記載の鍵棒支持部品。
【発明の詳細な説明】
【技術分野】
【０００１】
本発明は、鍵機構を備える管楽器用の鍵棒支持部品に関する。
【背景技術】
【０００２】
管楽器には、例えば特許文献１−３のように、管体に形成された音孔を開閉するための鍵機構（キーシステム）を備えたものがある。鍵機構は、例えば、管体の外周面に間隔をあけて配された二つの鍵柱（キーポスト）と、二つの鍵柱の間で回転自在に支持された鍵棒（キーシャフト）と、鍵棒にロー付けされた蓋部及び操作子と、を備える。蓋部は音孔を開閉するものであり、操作子は演奏者の手指で操作するものである。また、鍵機構には、蓋部、操作子に加えて連絡腕を鍵棒にロー付けしたものもある。連絡腕は、二つの鍵柱、鍵棒、蓋部、操作子を含む一のキーユニットの動作を別のキーユニットに伝えるものである。蓋部と操作子と連絡腕とは、鍵棒の長手方向に互いに間隔をあけて位置する場合がある（例えば特許文献１参照）。
【０００３】
従来の鍵機構には、鍵棒の撓み変形を防ぐために、鍵棒の長手方向の中途部において鍵棒を回転可能に支持する鍵棒支持部品を備えたものがある。鍵棒支持部品は、鍵棒を挿通させる挿通孔を有し、鍵柱と同様に管体の外周面に取り付けられる。
【０００４】
従来の鍵棒支持部品には、鍵棒を挟むように分割された二つの分割体によって構成され、これら二つの分割体をネジで結合固定したものがある。また、従来の鍵棒支持部品には、二つの分割体を管体の径方向に配列したものもある。
鍵棒支持部品を二つの分割体で構成すると、蓋部や操作子、連絡腕を鍵棒にロー付けした後や、鍵棒を二つの鍵柱の間に設けた後に、鍵棒支持部品を、鍵棒のうち蓋部、操作子、連絡腕の間の部位や二つの鍵柱の間の部位に対して、着脱することができる。
【先行技術文献】
【特許文献】
【０００５】
【特許文献１】特開２００１−１９５０５７号公報
【特許文献２】特開２００４−１９１４５６号公報
【特許文献３】特開２００４−３２５９８１号公報
【発明の概要】
【発明が解決しようとする課題】
【０００６】
しかしながら、二つの分割体をネジで結合固定した鍵棒支持部品では、各分割体にネジを取り付けるための部位を形成する必要があり、鍵棒支持部品のサイズが大きくなってしまう。このため、管楽器の外観意匠を損なう可能性がある。
【０００７】
一方、二つの分割体を管体の径方向に配列する鍵棒支持部品では、二つの分割体をネジで結合固定する必要はない。しかしながら、この鍵棒支持部品では、二つの分割体のうち管体側に配される分割体を管体に対して位置決めする必要がある。すなわち、管体側に配される分割体を管体に対して位置決めするための溝を、管体に形成する必要がある。このため、鍵棒支持部品を既存の管楽器に適用することが難しい、という問題がある。
【０００８】
本発明は、上述した事情に鑑みてなされたものであって、管楽器の外観意匠を損なわず、かつ、既存の管楽器にも適用可能な鍵棒支持部品を提供することを目的とする。
【課題を解決するための手段】
【０００９】
本発明は、鍵棒を挿通させる挿通孔を有して前記鍵棒を支持する鍵棒支持部品であって、前記挿通孔の軸方向に直交する方向に配列された一対の分割体を備え、第一分割体には、係止突起が形成され、第二分割体には、前記挿通孔の軸方向に開口し、前記係止突起が前記軸方向から挿入されることで、前記一対の分割体が相対的に前記軸方向に直交する方向に移動することを規制する係止溝が形成されている鍵棒支持部品を提供する。
【発明の効果】
【００１０】
本発明によれば、一対の分割体を結合するためのネジが不要となるため、鍵棒支持部品の小型化を図り、管楽器の外観意匠が損なわれることを好適に抑制できる。
また、管体に取り付けることなく一対の分割体を結合できるため、管体に位置決め用の溝を形成する必要が無くなり、既存の管楽器に使用することができる。すなわち、汎用性の高い鍵棒支持部品を提供できる。
【図面の簡単な説明】
【００１１】
【図１】本発明の第一実施形態に係る鍵棒支持部品を含む管楽器の要部を示す側面図である。
【図２】図１のII−II矢視断面図である。
【図３】本発明の第一実施形態に係る鍵棒支持部品の分解斜視図である。
【図４】本発明の第二実施形態に係る鍵棒支持部品を示す分解斜視図である。
【図５】本発明の第三実施形態に係る鍵棒支持部品であり、（ａ）は鍵棒支持部品を挿通孔の軸方向から見た平面図、（ｂ）は（ａ）のＢ−Ｂ矢視断面図、（ｃ）は（ａ）のＣ−Ｃ矢視断面図である。
【図６】本発明の第四実施形態に係る鍵棒支持部品を挿通孔の軸方向から見た平面図である。
【発明を実施するための形態】
【００１２】
〔第一実施形態〕
以下、図１−３を参照して本発明の第一実施形態について説明する。
図１，２に示すように、本実施形態の鍵棒支持部品１０は、管楽器１の鍵機構３に含まれる構成要素である。鍵棒支持部品１０は、鍵機構３の鍵棒５のうち、鍵棒５の長手方向の中途部に取り付けられる。
【００１３】
図示例の管楽器１を構成する管体２は、断面円環状に形成されている。管体２には音孔４が形成されている。
【００１４】
図示例の鍵機構３は、鍵棒５の他に、管体２の外周面に取り付けられた二つの鍵柱６，６と、音孔４を開閉するための蓋部７と、を備える。また、図示しないが、鍵機構３は蓋部７を操作するための操作子も備える。図示例の二つの鍵柱６，６は、管体２の軸方向（Ｘ軸方向）に間隔をあけて位置している。鍵棒５は、二つの鍵柱６，６によって、鍵棒５の軸を中心に回転自在に支持されている。蓋部７や操作子は、鍵棒５にロー付けされている。
管楽器１では、操作子の操作により鍵棒５を回転させることで、音孔４が蓋部７によって開閉される。
また、鍵機構３は、例えば二つの鍵柱６，６、鍵棒５、蓋部７、操作子を含む一のキーユニットの動作を別のキーユニットに伝える連絡腕を備えてもよい。この場合、連絡腕は、蓋部７や操作子と同様に鍵棒５にロー付けされればよい。
【００１５】
図２，３に示すように、鍵棒支持部品１０は、鍵棒５を挿通させる挿通孔１１を有する。鍵棒支持部品１０は、挿通孔１１の軸方向に直交する方向（Ｙ軸方向）に配列された一対の分割体１２，１３を備える。一対の分割体１２，１３は、鍵棒５を挟むように配列される。
第一分割体１２には、係止突起１４が形成されている。第二分割体１３には、係止溝１５が形成されている。係止溝１５は、挿通孔１１の軸方向に開口する。係止溝１５には、係止突起１４が挿通孔１１の軸方向から挿入される。係止突起１４を係止溝１５に挿入した状態では、一対の分割体１２，１３が相対的に挿通孔１１の軸方向に直交する方向に移動することが規制される。
以下、本実施形態の鍵棒支持部品１０について、より具体的に説明する。
【００１６】
本実施形態の鍵棒支持部品１０は、環状支持部２１を備える。環状支持部２１は、鍵棒５を支持する部位であり、挿通孔１１を囲む環状に形成されている。本実施形態の環状支持部２１には、軸方向から見た平面視で円形状の挿通孔１１が一つだけ形成されている。環状支持部２１の外周形状は、任意であってよいが、本実施形態では平面視円形状に形成されている。すなわち、本実施形態の環状支持部２１は、円環状に形成されている。
【００１７】
また、本実施形態の鍵棒支持部品１０は、一対の脚部２２，２３を備える。一対の脚部２２，２３は、鍵棒支持部品１０を管体２に固定するための部位であり、環状支持部２１から互いに逆向きに延びている。挿通孔１１の軸方向に対して環状支持部２１から延びる各脚部２２，２３の向きは、任意であってよい。本実施形態では、各脚部２２，２３が挿通孔１１の軸方向に直交する方向に延びている。本実施形態では、前述したように鍵棒５が管体２の軸方向に延びている。このため、一対の脚部２２，２３は、管体２の外周面の周方向の形状に沿うように湾曲している。
各脚部２２，２３には、ネジ挿通孔２４が形成されている。ネジ挿通孔２４には、鍵棒支持部品１０を管体２に固定するためのネジ２５（特にネジ２５の軸部）が挿通される。
【００１８】
本実施形態の鍵棒支持部品１０において、各分割体１２，１３は、環状支持部２１の周方向の一部を構成する分割支持部２６，２７を含む。また、本実施形態の各分割体１２，１３は、一つの脚部２２，２３も含む。本実施形態において、各分割支持部２６，２７は環状支持部２１の周方向に延びる円弧状に形成されている。また、挿通孔１１の軸方向における二つの分割支持部２６，２７の寸法は互いに等しい。以下の説明では、第一分割体１２に含まれる分割支持部２６を第一分割支持部２６と呼び、第二分割体１３に含まれる分割支持部２７を第二分割支持部２７と呼ぶ。
【００１９】
第一分割体１２の係止突起１４は、第一分割支持部２６の周方向の両端部に一対形成されている。
各係止突起１４は、例えば、第一分割支持部２６の径方向において第一分割支持部２６の外周側の端部や、第一分割支持部２６の中間部に形成されてもよい。本実施形態において、各係止突起１４は、径方向において第一分割支持部２６の内周側の端部に形成されている。また、各係止突起１４は、挿通孔１１の内周面の一部を構成している。
【００２０】
各係止突起１４は、少なくとも係止溝１５に挿入された状態で係止溝１５から挿通孔１１の軸方向に直交する方向（Ｙ軸方向やＺ軸方向）に抜けなければ、任意に形成されてよい。
本実施形態では、一対の係止突起１４，１４が、挿通孔１１の軸方向及び一対の分割体１２，１３の配列方向に直交する方向（Ｚ軸方向）に配列されている。そして、一対の係止突起１４，１４は、これらの配列方向において互いに逆向きに出っ張る鉤状に形成されている。具体的には、一対の係止突起１４，１４のうち第一分割支持部２６の径方向において第一分割支持部２６の外側に向く面３１，３１（径方向外面３１，３１）が、一対の分割体１２，１３の配列方向において第一分割体１２から第二分割体１３側に向かうにしたがって互いに離れるように傾斜している。これにより、各係止突起１４が鉤状に形成されている。
【００２１】
上記した各係止突起１４の径方向外面３１、及び、第一分割支持部２６の周方向において第二分割支持部２７側に向く各係止突起１４の周方向端面３２は、係止突起１４を係止溝１５に挿入した状態で係止溝１５の内面に面接触する外面である。各係止突起１４の径方向外面３１及び周方向端面３２は、挿通孔１１の軸方向に延びており、挿通孔１１の軸方向に平行している。
本実施形態では、挿通孔１１の軸方向における係止突起１４の寸法が第一分割体１２の寸法と等しい。
【００２２】
第二分割体１３の係止溝１５は、第二分割支持部２７の周方向の両端部に一対形成されている。
各係止溝１５は、少なくとも各係止突起１４の位置や形状に対応するように形成されていればよい。本実施形態において、各係止溝１５は、係止突起１４が係止溝１５に挿入された状態で鉤状の係止突起１４を一対の分割体１２，１３の配列方向から挟み込むように、第二分割支持部２７の内周面から窪んで形成されている。また、本実施形態の各係止溝１５は、第二分割支持部２７の周方向の端部に開口している。さらに、各係止溝１５は、第二分割支持部２７の軸方向の両端部に開口している。
【００２３】
本実施形態において、係止突起１４を係止溝１５に挿入した状態で係止突起１４の外面に面接触する係止溝１５の内面には、第二分割支持部２７の径方向において第二分割支持部２７の内側に向く面３３（径方向内面３３）と、第二分割支持部２７の周方向において第一分割体１２側に向く面３４（周方向内端面３４）とがある。係止溝１５の径方向内面３３は、係止突起１４を係止溝１５に挿入した状態で係止突起１４の径方向外面３１に面接触する。係止溝１５の周方向内端面３４は、係止突起１４を係止溝１５に挿入した状態で係止突起１４の周方向端面３２に面接触する。すなわち、各係止溝１５の径方向内面３３及び周方向内端面３４は、係止突起１４の径方向外面３１及び周方向端面３２と同様に、挿通孔１１の軸方向に平行している。
【００２４】
本実施形態の一対の分割体１２，１３を結合する際には、第一分割支持部２６の一対の係止突起１４，１４を、第二分割支持部２７のうち挿通孔１１の軸方向における係止溝１５の一方の開口から各係止溝１５に挿入すればよい。
一対の分割体１２，１３を結合した状態では、一対の係止突起１４，１４の配列方向において一対の係止突起１４，１４が第二分割支持部２７の内側に位置する。このため、第一分割体１２と第二分割体１３とが一対の係止突起１４，１４の配列方向に移動することが規制される。
【００２５】
さらに、この結合状態では、各係止突起１４が、各係止溝１５によって一対の分割体１２，１３の配列方向から挟み込まれている。このため、第一分割体１２と第二分割体１３とが一対の分割体１２，１３の配列方向に相対的に移動することが規制される。
以上のことから、一対の分割体１２，１３を結合した状態では、一対の分割体１２，１３が相対的に挿通孔１１の軸方向に直交する方向に移動することが規制される。
【００２６】
以上説明したように、本実施形態の鍵棒支持部品１０は、一対の分割体１２，１３によって構成されている。このため、蓋部７や操作子、連絡腕を鍵棒５にロー付けした後や、鍵棒５を二つの鍵柱６，６の間に設けた後に、鍵棒支持部品１０を、鍵棒５のうち蓋部７、操作子、連絡腕の間の部位や二つの鍵柱６，６の間の部位に対して、着脱することができる。
【００２７】
そして、本実施形態の鍵棒支持部品１０によれば、一対の分割体１２，１３を結合するためのネジが不要となる。このため、鍵棒支持部品１０の小型化を図り、管楽器１の外観意匠が損なわれることを好適に抑制できる。
また、管体２に取り付けることなく一対の分割体１２，１３を結合できるため、管体２に位置決め用の溝を形成する必要が無くなり、既存の管楽器１に使用することができる。すなわち、汎用性の高い鍵棒支持部品１０を提供できる。
【００２８】
また、本実施形態の鍵棒支持部品１０によれば、一対の係止突起１４，１４が径方向において第一分割支持部２６の内周側の端部に形成され、かつ、一対の係止溝１５，１５が径方向において第二分割支持部２７の内周側に形成されている。このため、一対の係止突起１４，１４が径方向において第一分割支持部２６の中間部に形成され、一対の係止溝１５，１５が径方向において第二分割支持部２７の中間部に形成されなくても、一対の分割体１２，１３が一対の係止突起１４，１４の配列方向に移動することを規制できる。そして、一対の係止突起１４，１４や一対の係止溝１５，１５が分割支持部２６，２７の中間部に形成される場合と比較して、径方向における環状支持部２１の厚みを薄く設定することが可能となる。したがって、鍵棒支持部品１０の小型化をさらに図ることができる。
【００２９】
〔第二実施形態〕
次に、図４を参照して本発明の第二実施形態について説明する。本実施形態の鍵棒支持部品は、第一実施形態の鍵棒支持部品１０と比較して、係止突起及び係止溝の構成のみが異なり、他の構成については同様である。本実施形態では、第一実施形態と同様の構成要素について同一符号を付す等して、その説明を省略する。
【００３０】
図４に示すように、本実施形態の鍵棒支持部品１０Ａにおいて、第二分割体１３Ａの各係止溝１５Ａは、第一実施形態と同様に、径方向において第二分割支持部２７Ａの内周側の端部に形成されている。すなわち、各係止溝１５Ａは、第二分割支持部２７Ａの周方向の端部に開口する他、挿通孔１１の内周面にも開口している。
ただし、本実施形態では、各係止溝１５Ａが、第二分割支持部２７Ａの軸方向の第一端部（一方の端部）にのみ開口している。このため、挿通孔１１の軸方向における各係止溝１５Ａの寸法は、第二分割体１３Ａの寸法よりも小さい。
【００３１】
第一分割体１２Ａの各係止突起１４Ａは、第一実施形態と同様に、径方向において第一分割支持部２６Ａの内周側の端部に形成されている。
挿通孔１１の軸方向における各係止突起１４Ａの寸法は、任意であってよいが、本実施形態では第一分割体１２Ａの寸法よりも小さく、各係止突起１４Ａに対応する係止溝１５Ａの寸法と等しい。また、各係止突起１４Ａは、挿通孔１１の軸方向において第一分割支持部２６Ａの第一端部に寄せて配され、第一分割支持部２６Ａの第二端部に対して間隔をあけて位置している。なお、第一分割支持部２６Ａの第一端部は、挿通孔１１の軸方向において係止溝１５Ａが開口する第二分割支持部２７Ａの第一端部に対応する。
【００３２】
本実施形態の一対の分割体１２Ａ，１３Ａを結合する際には、第一分割支持部２６Ａの各係止突起１４Ａを、第二分割支持部２７Ａの第一端部にある各係止溝１５Ａの開口から各係止溝１５Ａに挿入すればよい。係止突起１４Ａを係止溝１５Ａに挿入すると、挿入方向における係止突起１４Ａの先端が挿通孔１１の軸方向に向く係止溝１５Ａの内面に当たる。これにより、一対の分割体１２Ａ，１３Ａが挿通孔１１の軸方向において互いに位置決めされる。
【００３３】
本実施形態の鍵棒支持部品１０Ａによれば、第一実施形態と同様の効果を奏する。
また、本実施形態の鍵棒支持部品１０Ａでは、第二分割体１３Ａの係止溝１５Ａが、挿通孔１１の軸方向において一方のみに開口している。このため、挿通孔１１の軸方向における一対の分割体１２Ａ，１３Ａの相互の位置決めを容易に行うことができる。
【００３４】
〔第三実施形態〕
次に、図５を参照して本発明の第三実施形態について説明する。本実施形態の鍵棒支持部品は、第一実施形態の鍵棒支持部品１０と比較して、係止突起の外面及び係止溝の内面の形状のみが異なり、他の構成については同様である。本実施形態では、第一実施形態と同様の構成要素について同一符号を付す等して、その説明を省略する。
【００３５】
図５に示すように、本実施形態の鍵棒支持部品１０Ｂでは、係止突起１４Ｂが係止溝１５Ｂに挿入された状態で互いに接触する係止突起１４Ｂの外面及び係止溝１５Ｂの内面が、挿通孔１１の軸方向に対して傾斜している。これにより、挿通孔１１の軸方向の一方側から他方側に向かうにしたがって、軸方向に直交する係止突起１４Ｂの断面積、及び、軸方向に直交する係止溝１５Ｂの断面積が小さくなっている。
【００３６】
具体的に説明すれば、本実施形態では、図５（ａ），図５（ｃ）に示すように、一対の係止突起１４Ｂ，１４Ｂの径方向外面３１Ｂ，３１Ｂ（外面）が、挿通孔１１の軸方向の一方側から他方側に向かうにしたがって（図５においてＸ軸正方向に向けて）互いに近づくように、挿通孔１１の軸方向に対して傾斜している。同様にして、一対の係止突起１４Ｂ，１４Ｂの径方向外面３１Ｂ，３１Ｂにそれぞれ面接触する一対の係止溝１５Ｂ，１５Ｂの径方向内面３３Ｂ，３３Ｂ（内面）も、挿通孔１１の軸方向の一方側から他方側に向かうにしたがって互いに近づくように、挿通孔１１の軸方向に対して傾斜している。
【００３７】
また、図５（ａ），図５（ｂ）に示すように、各係止突起１４Ｂの周方向端面３２Ｂ（外面）は、挿通孔１１の軸方向の一方側から他方側に向かうにしたがって第一分割支持部２６Ｂの周方向における係止突起１４Ｂの長さが小さくなるように、挿通孔１１の軸方向に対して傾斜している。同様にして、各係止突起１４Ｂの周方向端面３２Ｂに面接触する各係止溝１５Ｂの周方向内端面３４Ｂ（内面）も、挿通孔１１の軸方向の一方側から他方側に向かうにしたがって第二分割支持部２７Ｂの周方向における係止溝１５Ｂの深さが小さくなるように、挿通孔１１の軸方向に対して傾斜している。
【００３８】
本実施形態の一対の分割体１２Ｂ，１３Ｂを結合する際には、第一分割支持部２６Ｂの一対の係止突起１４Ｂ，１４Ｂを、挿通孔１１の軸方向の一方側にある係止溝１５Ｂの開口（大きな開口）から、各係止溝１５Ｂに挿入すればよい。
この挿入の際には、第一分割体１２Ｂを第二分割体１３Ｂに対して挿入するにしたがって、係止突起１４Ｂの径方向外面３１Ｂや周方向端面３２Ｂが、係止溝１５Ｂの径方向内面３３Ｂや周方向内端面３４Ｂに押し付けられる。これにより、一対の係止突起１４Ｂ，１４Ｂが一対の係止溝１５Ｂ，１５Ｂに嵌め合わされ、一対の分割体１２Ｂ，１３Ｂを互いに固定することができる。
【００３９】
本実施形態の鍵棒支持部品１０Ｂによれば、第一実施形態と同様の効果を奏する。
また、本実施形態の鍵棒支持部品１０Ｂによれば、係止突起１４Ｂを係止溝１５Ｂに嵌め合わせて、一対の１２Ｂ，１３Ｂを互いに固定できる。したがって、一対の１２Ｂ，１３Ｂが結合した状態から不意に分離することを好適に抑制できる。
【００４０】
第三実施形態の係止突起１４Ｂ及び係止溝１５Ｂの形状は、第二実施形態の係止突起１４Ａ及び係止溝１５Ａに適用可能である。
【００４１】
〔第四実施形態〕
次に、図６を参照して本発明の第四実施形態について説明する。本実施形態の鍵棒支持部品は、第一実施形態の鍵棒支持部品１０と比較して、主に支持する鍵棒の数が異なっており、他の構成については同様である。本実施形態では、第一実施形態と同様の構成要素について同一符号を付す等して、その説明を省略する。
【００４２】
図６に示すように、本実施形態の鍵棒支持部品１０Ｃは、第一実施形態と同様に、鍵棒５を挿通させる挿通孔１１Ｃを有する。また、本実施形態の鍵棒支持部品１０Ｃは、鍵棒５を挟むように挿通孔１１Ｃの軸方向に直交する方向に配列された一対の分割体１２Ｃ，１３Ｃを備える。
【００４３】
ただし、本実施形態の鍵棒支持部品１０Ｃにおいては、挿通孔１１Ｃが複数の鍵棒５を個別に支持するように形成されている。具体的に、本実施形態の挿通孔１１Ｃは、一つの鍵棒５を支持する鍵棒支持孔部１６Ｃを複数備える。鍵棒支持孔部１６Ｃの数は、任意に設定されてよいが、本実施形態では三つである。三つの鍵棒支持孔部１６Ｃは、鍵棒５同士が接しないように互いに間隔をあけて位置している。
【００４４】
各鍵棒支持孔部１６Ｃは、挿通孔１１Ｃの内周面を構成し、一つの鍵棒５をその径方向から挟む一対の支持内面１７Ｃ，１８Ｃを備える。各支持内面１７Ｃ，１８Ｃは、平面視で鍵棒５の外周面に対応する円弧状に形成されている。一対の支持内面１７Ｃ，１８Ｃのうち第一支持内面１７Ｃは、第一分割体１２Ｃに形成されている。すなわち、本実施形態の第一分割体１２Ｃには、三つの第一支持内面１７Ｃが形成されている。一方、第二支持内面１８Ｃは、第二分割体１３Ｃに形成されている。すなわち、本実施形態の第二分割体１３Ｃには、三つの第二支持内面１８Ｃが形成されている。
本実施形態において、一対の支持内面１７Ｃ，１８Ｃは、鍵棒５の周方向において互いに間隔をあけて位置している。これにより、三つの鍵棒支持孔部１６Ｃが互いに連なっている。
【００４５】
そして、本実施形態の鍵棒支持部品１０Ｃは、第一実施形態と同様に、挿通孔１１Ｃを囲む環状に形成された環状支持部２１Ｃを備える。本実施形態において、挿通孔１１Ｃは、平面視で環状支持部２１Ｃの周方向に延びる弧状に形成されている。また、三つの鍵棒支持孔部１６Ｃは、環状支持部２１Ｃの周方向（挿通孔１１Ｃの延長方向）に配列されている。具体的に、本実施形態の環状支持部２１Ｃの外周形状は、平面視矩形状に形成されている。その上で、挿通孔１１Ｃは、環状支持部２１Ｃの一つの角部から延びる二つの辺に沿うＬ字状に形成されている。また、三つの鍵棒支持孔部１６Ｃは、環状支持部２１Ｃの三つの角部に対応して位置している。
【００４６】
また、本実施形態の鍵棒支持部品１０Ｃは、第一実施形態と同様に、環状支持部２１Ｃから互いに逆向きに延びる一対の脚部２２，２３を備える。各脚部２２，２３は、第一実施形態と同様に、挿通孔１１Ｃの軸方向に直交する方向に延びている。本実施形態において、一対の脚部２２，２３は、平面視矩形状の環状支持部２１Ｃの一つ辺の両端に位置する二つの角部から互いに逆向きに延びている。
【００４７】
本実施形態の鍵棒支持部品１０Ｃにおいて、各分割体１２Ｃ，１３Ｃは、第一実施形態と同様に、環状支持部２１Ｃの周方向の一部を構成する分割支持部２６Ｃ，２７Ｃを含む。また、本実施形態の各分割体１２Ｃ，１３Ｃは、第一実施形態と同様に、一つの脚部２２，２３も含む。
本実施形態において、第一分割体１２Ｃの第一分割支持部２６Ｃには、前述した三つの第一支持内面１７Ｃが形成されている。同様にして、第二分割体１３Ｃの第二分割支持部２７Ｃには、前述した三つの第二支持内面１８Ｃが形成されている。
【００４８】
また、本実施形態において、第二分割体１３Ｃの第二分割支持部２７Ｃは、環状支持部２１Ｃの周方向において挿通孔１１Ｃに沿って延びる弧状に形成されている。環状支持部２１Ｃの周方向における第二分割支持部２７Ｃの両端は、挿通孔１１Ｃの延長方向の両端に対応している。具体的に、第二分割支持部２７Ｃは、環状支持部２１Ｃの三つの角部を含み、挿通孔１１Ｃに対応するＬ字状に形成されている。
一方、第一分割体１２Ｃの第一分割支持部２６Ｃは、前述した第二分割支持部２７Ｃとの間に挿通孔１１Ｃを形成するように、環状支持部２１Ｃの一つの角部を含む形状に形成されている。
【００４９】
一対の分割体１２Ｃ，１３Ｃを結合した状態では、二つの分割支持部２６Ｃ，２７Ｃが、第一分割支持部２６Ｃの角部（図６において右下の角部）と、この角部と対角に位置する第二分割支持部２７Ｃの角部（図６において左上の角部）と、が並ぶ方向に配列されている。本実施形態では、二つの分割支持部２６Ｃ，２７Ｃの配列方向が一対の分割体１２Ｃ，１３Ｃの配列方向に対応している。
【００５０】
第一分割支持部２６Ｃの周方向の両端部には、第一実施形態と同様に、第一分割体１２Ｃの係止突起１４Ｃが形成されている。すなわち、本実施形態の各係止突起１４Ｃは、第一分割支持部２６Ｃの径方向において第一分割支持部２６Ｃの内周側の端部に形成されている。また、一対の係止突起１４Ｃ，１４Ｃは、挿通孔１１Ｃの軸方向及び一対の分割体１２Ｃ，１３Ｃの配列方向に直交する方向（図６において第一分割支持部２６Ｃの周方向の両端部を結ぶ方向）に配列されている。また、一対の係止突起１４Ｃ，１４Ｃは、これらの配列方向において互いに逆向きに出っ張る鉤状に形成されている。
【００５１】
第二分割支持部２７Ｃの周方向の両端部には、第一実施形態と同様に、第二分割体１３Ｃの係止溝１５Ｃが形成されている。すなわち、本実施形態の各係止溝１５Ｃは、係止突起１４Ｃが係止溝１５Ｃに挿入された状態で鉤状の係止突起１４Ｃを一対の分割体１２Ｃ，１３Ｃの配列方向から挟み込むように窪んで形成されている。
【００５２】
本実施形態の鍵棒支持部品１０Ｃにおいて、各係止溝１５Ｃは、例えば第一実施形態と同様に第二分割支持部２７Ｃの軸方向の両端部に開口してもよいし、例えば第二実施形態と同様に第二分割支持部２７Ｃの軸方向の一方の端部にのみ開口してもよい。
また、本実施形態の鍵棒支持部品１０Ｃにおいて、挿通孔１１Ｃの軸方向に延びて互いに面接触する係止突起１４Ｃの外面及び係止溝１５Ｃの内面は、例えば第一実施形態と同様に挿通孔１１Ｃの軸方向に平行してもよいし、例えば第三実施形態と同様に挿通孔１１Ｃの軸方向に対して傾斜してもよい。
【００５３】
本実施形態の鍵棒支持部品１０Ｃによれば、第一実施形態と同様の効果を奏する。
また、本実施形態の鍵棒支持部品１０Ｃによれば、複数の鍵棒支持孔部１６Ｃの第一支持内面１７Ｃが第一分割体１２Ｃに形成され、複数の鍵棒支持孔部１６Ｃの第二支持内面１８Ｃが第二分割体１３Ｃに形成されている。これにより、複数の鍵棒５を一括して支持することができる。
【００５４】
第四実施形態において、一対の支持内面１７Ｃ，１８Ｃは、例えば全体で平面視円形状となるように、鍵棒５の周方向において互いにつなげて形成されてもよい。この場合には、三つの鍵棒支持孔部１６Ｃが互いに独立して形成される。言い換えれば、挿通孔１１Ｃが三つに分けて構成される。
【００５５】
上記した第四実施形態の係止突起１４Ｃ、係止溝１５Ｃには、第一〜第三実施形態の係止突起１４，１４Ａ，１４Ｂ、係止溝１５，１５Ａ，１５Ｂの形状を適用可能である。
【００５６】
以上、本発明について詳細に説明したが、本発明は上記実施形態に限定されるものではなく、本発明の趣旨を逸脱しない範囲において種々の変更を加えることが可能である。
【００５７】
例えば、本発明の管楽器において、管体は断面円環状に限らず、断面楕円環状など任意の断面形状に形成されてよい。
【符号の説明】
【００５８】
１…管楽器、２…管体、３…鍵機構、５…鍵棒、１０，１０Ａ，１０Ｂ，１０Ｃ…鍵棒支持部品、１１，１１Ｃ…挿通孔、１２，１２Ａ，１２Ｂ，１２Ｃ…第一分割体、１３，１３Ａ，１３Ｂ，１３Ｃ…第二分割体、１４，１４Ａ，１４Ｂ，１４Ｃ…係止突起、１５，１５Ａ，１５Ｂ，１５Ｃ…係止溝、１６Ｃ…鍵棒支持孔部、１７Ｃ…第一支持内面、１８Ｃ…第二支持内面、２１，２１Ｃ…環状支持部、２６，２６Ａ，２６Ｂ，２６Ｃ…第一分割支持部、２７，２７Ａ，２７Ｂ，２７Ｃ…第二分割支持部、３１，３１Ｂ…径方向外面（外面）、３２，３２Ｂ…周方向端面（外面）、３３，３３Ｂ…径方向内面（内面）、３４，３４Ｂ…周方向内端面（内面）
【図１】
2018072471.tif 000003
【図２】
2018072471.tif 000004
【図３】
2018072471.tif 000005
【図４】
2018072471.tif 000006
【図５】
2018072471.tif 000007
【図６】
2018072471.tif 000008